(57)【要約】【課題】  多数発行されるチケットの単価を上げることなく確実にチケットの使用可否の確認を行うことを可能とする。【解決手段】  本発明に係るチケット認証装置１によれば、タクシーチケットＴに表記されたバーコードＢがバーコードリーダにより読み取られ、バーコードデータが取得されると、バーコードデータに含まれるタクシーチケットＴの識別情報及び有効期限とメモリカードＭに記録されているポジデータ及びネガデータに基づいて当該タクシーチケットＴの使用可否が判別され、使用不可である場合は、使用不可であることを告知する表示がなされる。【選択図】図１
2005309480.tif 000002
【特許請求の範囲】
【請求項１】
チケット上に表記された当該チケットの特定情報を光学的に読み取る情報読取手段と、
前記読み取られた特定情報と予め設定された基準情報とを比較照合し、当該チケットが使用可能であるか否かを判別する判別手段と、
前記判別手段による判別結果に基づいて、当該チケットが使用可能か否かを告知する告知手段と、
を備えたことを特徴とするチケット認証装置。
【請求項２】
前記チケットの特定情報は、少なくとも前記チケットの費用請求先を表す識別情報を含むことを特徴とする請求項１に記載のチケット認証装置。
【請求項３】
前記チケットの特定情報は、更に前記チケットの有効期限を表す情報を含むことを特徴とする請求項２に記載のチケット認証装置。
【請求項４】
前記チケットに応じた利用料金を計測する料金メータに接続され、
前記判別手段により前記チケットが使用可能であると判別された場合に、前記料金メータから前記チケットに応じた利用料金情報を取得する料金取得手段と、
前記取得された利用料金情報に基づいて前記チケットに利用料金を印刷する印刷手段と、
を備えたことを特徴とする請求項１〜３の何れか一項に記載のチケット認証装置。
【請求項５】
前記情報読取手段により読み取られた特定情報及び前記料金メータから取得された利用料金情報を含む売上データを記憶する売上データ記憶手段を備えたことを特徴とする請求項１〜４の何れか一項に記載のチケット認証装置。
【請求項６】
請求項５に記載のチケット認証装置と、前記チケット認証装置において記憶された売上データに基づいて処理を行う処理装置とを備えたチケット認証処理システムであって、
前記処理装置は、
前記売上データ記憶手段に記憶された売上データに基づいて費用請求先に請求書を発行する請求書発行手段と、
前記売上データ記憶手段に記憶された売上データに基づいて売上処理を行う売上処理手段と、
最新の前記基準情報を取得して更新する更新手段と、
を備えたことを特徴とするチケット認証処理システム。
【請求項７】
コンピュータに、
チケット上に表記された当該チケットの特定情報を光学的に読み取る機能と、
前記読み取られた特定情報と予め設定された基準情報とを比較照合し、当該チケットが使用可能であるか否かを判別する機能と、
前記判別結果に基づいて、当該チケットが使用可能か否かを告知する機能と、
を実現させるためのプログラム。
【発明の詳細な説明】
【技術分野】
【０００１】
本発明は、チケットの使用可否を確認するチケット認証装置、チケット認証処理システム及びプログラムに関する。
【背景技術】
【０００２】
一般的に、チケットは、提示あるいは引き渡すことにより、チケットに応じた利益やサービスの享受等ができるようになっている。例えば、タクシーチケットは、タクシーチケットを乗務員に引き渡すことにより料金清算を行うことができる。
【０００３】
しかしながら、チケットは紙片であることが多く、不正利用されたものであるか否かを確認しづらいといった問題があった。また、利用されたチケットを集計する作業は煩雑であった。
【０００４】
そこで、例えば、特許文献１においては、支払い者コードが記録されたＩＣカードをタクシーチケットとして用い、利用されたチケットの支払い者コードをカードデータ読取書込装置で読み取って料金とともにタクシーチケット決済センターのセンターコンピュータに送信し、タクシーチケット決済センターで請求処理するタクシーチケット決済システムが開示されている。このシステムでは、一度利用されたタクシーチケットの不正使用を防止するため、利用されたタクシーチケットには使用済フラグ等を記録してＩＣカードを使用不可状態としている。
【特許文献１】特開２００２−１５０３３１号公報
【発明の開示】
【発明が解決しようとする課題】
【０００５】
しかしながら、ＩＣカードをタクシーチケットとして利用した場合、多数発行すると投資金額が嵩んでしまい、また、ＩＣカード回収の手間がかかり、紛失、故障等による補充も考慮しなければならないという問題があった。
【０００６】
本発明の課題は、多数発行されるチケットの単価を上げることなく確実にチケットの使用可否の確認を行うことを可能とすることである。
【課題を解決するための手段】
【０００７】
上記課題を解決するため、請求項１に記載の発明のチケット認証装置は、
チケット上に表記された当該チケットの特定情報を光学的に読み取る情報読取手段と、
前記読み取られた特定情報と予め設定された基準情報とを比較照合し、当該チケットが使用可能であるか否かを判別する判別手段と、
前記判別手段による判別結果に基づいて、当該チケットが使用可能か否かを告知する告知手段と、
を備えたことを特徴としている。
【０００８】
請求項６に記載の発明は、
請求項５に記載のチケット認証装置と、前記チケット認証装置において記憶された売上データに基づいて処理を行う処理装置とを備えたチケット認証処理システムであって、
前記処理装置は、
前記売上データ記憶手段に記憶された売上データに基づいて費用請求先に請求書を発行する請求書発行手段と、
前記売上データ記憶手段に記憶された売上データに基づいて売上処理を行う売上処理手段と、
最新の前記基準情報を取得して更新する更新手段と、
を備えたことを特徴としている。
【０００９】
請求項７に記載の発明は、
コンピュータに、
チケット上に表記された当該チケットの特定情報を光学的に読み取る機能と、
前記読み取られた特定情報と予め設定された基準情報とを比較照合し、当該チケットが使用可能であるか否かを判別する機能と、
前記判別結果に基づいて、当該チケットが使用可能か否かを告知する機能と、
を実現させるためのプログラムであることを特徴としている。
【発明の効果】
【００１０】
請求項１、７に記載の発明によれば、チケット上に表記された当該チケットの特定情報を光学的に読み取り、読み取られた特定情報と予め設定された基準情報とを比較照合し、当該チケットが使用可能であるか否かを判別し、判別結果に基づいて、当該チケットが使用可能か否かを告知する。従って、チケット上にチケットの特定情報を印刷する等により表記しておくだけで確実にチケットの使用可否の確認を行うことが可能となるので、多数発行されるチケットの単価を上げることなく確実にチケットの使用可否の確認を行ってチケットの不正利用を防止することが可能となる。
【００１１】
請求項２に記載の発明によれば、チケット上に表記されるチケットの特定情報は、少なくともチケットの費用請求先を表す識別情報を含むので、例えば、倒産等により費用の支払いが不可能な費用請求先のチケットの利用を防止することが可能となる。
【００１２】
請求項３に記載の発明によれば、チケット上に表記されるチケットの特定情報は、更にチケットの有効期限を表す情報を含むので、有効期限切れのチケットの利用を防止することが可能となる。
【００１３】
請求項４に記載の発明によれば、チケット認証装置はチケットに応じた利用料金を計測する料金メータに接続され、チケットが使用可能であると判別された場合に、料金メータからチケットに応じた利用料金情報を取得し、取得された利用料金情報に基づいてチケットに利用料金を印刷する。従って、利用料金のチケットへの記入の誤りを防止することが可能となる。
【００１４】
請求項５に記載の発明によれば、情報読取手段により読み取られたチケットの特定情報及び料金メータから取得された利用料金情報を含む売上データを記憶するので、記憶された売上データに基づいて売上処理や費用請求を容易に行うことが可能となる。
【００１５】
請求項６に記載の発明によれば、請求項５に記載のチケット認証装置において記憶された売上データに基づいて費用請求先に請求書を発行し、売上処理を行うことが可能となる。また、チケットの使用可否判別の基準となる基準情報を最新の情報に更新することが可能となる。
【発明を実施するための最良の形態】
【００１６】
以下、図を参照して本発明の実施形態を詳細に説明する。
まず、構成を説明する。
図１に、本発明に係るチケット認証処理システム１００の全体構成を示す。図１に示すように、チケット認証処理システム１００は、タクシー内に設けられ、タクシーメータ２が接続されたチケット認証装置１、タクシー営業所に設けられ、プリンタ４が接続されたデータ収集機３、タクシー会社のデータ処理センター等に設けられたホストコンピュータ５、ホストコンピュータ５にデータを入力するための入力端末６等により構成されている。図１に示すように、チケット認証装置１及びデータ収集機３はメモリカードＭの装着が可能であり、メモリカードＭを介してデータ転送可能に構成されている。また、データ収集機３、ホストコンピュータ５及び入力端末６は、通信ネットワークＮを介して相互にデータの送受信が可能なように接続されている。なお、各装置の台数は特に限定されない。
【００１７】
通信ネットワークＮは、例えば、ＷＡＮ（Wide Area Network）であるが、ＬＡＮ（Local Area Network）としてもよく、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００１８】
以下、チケット認証処理システム１００を構成する各装置について詳細に説明する。
まず、チケット認証装置１について説明する。
チケット認証装置１は、例えば、タクシー内に設けられた車載端末機であり、タクシーチケットＴに印刷されているバーコードＢ（図２参照）を光学的に読み取ってタクシーチケットＴの識別情報及び有効期限を表す情報を取得し、タクシーチケットＴの使用可否を確認すると共に利用料金などの売上データを乗車客ごとに、その取引種別データなどと対応づけて（例えば、タクシーチケットによる取引でＡ地点からＢ地点にＸ時からＹ時まで乗車など）記録する装置である。
【００１９】
図２に、タクシーチケットＴの一例を示す。図２に示すように、タクシーチケットＴには、費用請求先を表す顧客番号（貴社番号）、当該顧客番号で発行されたタクシーチケットＴに発行順に付された発行番号、顧客名（貴社名）、有効期限等が印刷されている。顧客番号＋発行番号は、当該タクシーチケットＴに固有のタクシーチケット識別情報である。また、タクシーチケットＴには、バーコードＢが印刷されている。このバーコードＢは、例えば、タクシーチケット識別情報、当該タクシーチケットＴの有効期限を表す情報等の、タクシーチケットＴの特定情報を示すものである。
【００２０】
図３に、チケット認証装置１の機能的構成を示す。図３に示すように、チケット認証装置１は、ＣＰＵ１０１、記録部１０２、ＲＡＭ１０３、メモリカード制御部１０４、タクシーメータ連動制御部１０５、バーコードリーダ制御部１０６、バーコードリーダ１０７、プリンタ制御部１０８、プリンタ１０９、タクシーチケット検出部１１０、表示制御部１１１、表示装置１１２等により構成され、各部はバス１１３により接続されている。
【００２１】
ＣＰＵ（Central Processing Unit）１０１は、記録部１０２に記憶されているシステムプログラムを読み出し、ＲＡＭ１０３内に形成されたワークエリアに展開し、該システムプログラムに従って各部を制御する。また、ＣＰＵ１０１は、記録部１０２に記憶されている各種処理プログラムを読み出してワークエリアに展開し、後述するタクシーチケット使用可否判別処理（図７参照）を始めとする各種処理を実行し、それらの処理結果をＲＡＭ１０３のワークエリアに格納する。そして、ワークエリアに格納した処理結果をメモリカードＭ又は記録部１０２内の指定の保存先に保存させる。
【００２２】
記録部１０２は、磁気的又は光学的記録媒体若しくは不揮発性の半導体メモリ等により構成され、ＣＰＵ１０１で実行されるシステムプログラム、当該システムプログラムに対応する、タクシーチケット使用可否判別処理プログラムを始めとする各種処理プログラム、各種データ等を記憶する。これらの各種プログラムは、読取可能なプログラムコードの形態で格納され、ＣＰＵ１０１は、当該プログラムコードに従った動作を逐次実行する。
【００２３】
ＲＡＭ（Random Access Memory）１０３は、ＣＰＵ１０１により実行されるシステムプログラム、各種処理プログラム、各処理において処理中のデータ、処理結果などを一時的に記憶するワークエリアを形成する。
【００２４】
メモリカード制御部１０４は、メモリカード挿入口１４（図１参照）に装填されたメモリカードＭからのデータの読み出し及びメモリカードＭへのデータの書き込みを制御する。
【００２５】
ここで、メモリカードＭは、図４に示すように、使用許可登録されているタクシーチケットＴのタクシーチケット識別情報（以下、ポジデータと称する）を格納するためのポジデータ格納領域Ｍ１と、使用禁止となっているタクシーチケットＴのタクシーチケット識別情報（以下、ネガデータと称する）を格納するためのネガデータ格納領域Ｍ２と、売上データを格納するための売上データ格納領域Ｍ３を有している。チケット認証装置１のメモリカード挿入口１４に挿入されるメモリカードＭは、データ収集機３において実行される後述するタクシーチケットデータ処理（図８参照）により、ポジデータ格納領域Ｍ１にポジデータが記録され、ネガデータ格納領域Ｍ２にネガデータが記録されたものである。
【００２６】
タクシーメータ連動制御部１０５は、タクシーの利用料金を計測するタクシーメータ２と接続し、タクシーメータ２との間で制御信号や利用料金データをはじめとする各種データの入出力を行う。
【００２７】
バーコードリーダ制御部１０６は、バーコードリーダ１０７を制御して、タクシーチケット挿入口１１（図１参照）に挿入されたタクシーチケットＴに表記されたバーコードを読み取り、読み取って得られたバーコードデータを解読、デコード処理してバーコードＢの示す情報を取得してＣＰＵ１０１に出力する。バーコードリーダ１０７は、図示しないＣＣＤ（Charged Coupled Device）スキャナ、レーザスキャナ等により構成され、タクシーチケットＴに表示されたバーコードを光学的に読み取ってバーコードリーダ制御部１０６に出力する。
【００２８】
プリンタ制御部１０８は、プリンタ１０９各部の動作を制御してタクシーチケットＴに利用料金の印刷出力を行う。プリンタ１０９は、例えば、ドットインパクトプリンタ、熱転写プリンタ等であり、プリンタ制御部１０８の制御に基づいて、タクシーチケットＴに利用料金を印刷出力する。
【００２９】
タクシーチケット検出部１１０は、発光部及び受光部を備えたフォトインタラプタ等により構成され、タクシーチケット挿入口１１（図１参照）にタクシーチケットＴが挿入されると、検出信号をＣＰＵ１０１に出力する。
【００３０】
表示制御部１１１は、ＣＰＵ１０１からの表示信号を受信して、表示装置１１２における表示制御を行う。表示装置１１２は、ＬＣＤ（Liquid Crystal Display）等により構成され、表示制御部１１１の制御に基づいて、表示画面１２（図１参照）上に、各種情報を表示する。
【００３１】
次に、データ収集機３について説明する。
データ収集機３は、メモリカードＭを介して入力されたチケット認証装置１の売上データに基づいて費用請求先への請求書発行を行うとともに、メモリカードＭに格納された売上データをクリアし、ホストコンピュータ５から送信される最新のポジデータ及びネガデータに基づいてメモリカードＭにポジデータ及びネガデータを更新する処理装置である。また、データ収集機３は、ポジデータ及びネガデータ受信処理を実行し、所定時間毎にホストコンピュータ５から送信される最新のポジデータ及びネガデータを取得してＨＤＤ３０８のポジデータ格納部３８１、ネガデータ格納部３８２（図６参照）にそれぞれ保存する。
【００３２】
図５に、データ収集機３の機能的構成を示す。図５に示すように、データ収集機３は、ＣＰＵ３０１、記録部３０２、ＲＡＭ３０３、メモリカード制御部３０４、プリンタ制御部３０５、通信制御部３０６、ＨＤＤ制御部３０７、ＨＤＤ３０８、操作制御部３０９、キーボート３１０、表示制御部３１１、表示装置３１２等を備えて構成され、各部はバス３１３により接続されている。
【００３３】
ＣＰＵ３０１は、記録部３０２に記憶されているシステムプログラムを読み出し、ＲＡＭ３０３内に形成されたワークエリアに展開し、該システムプログラムに従って各部を制御する。また、ＣＰＵ３０１は、記録部３０２に記憶されている各種処理プログラムを読み出してワークエリアに展開し、後述するタクシーチケットデータ処理（図８参照）、ポジデータ及びネガデータ受信処理を始めとする各種処理を実行し、それらの処理結果をＲＡＭ３０３のワークエリアに格納する。そして、ワークエリアに格納した処理結果をメモリカードＭ又はＨＤＤ３０８内の指定の保存先に保存させる。
【００３４】
記録部３０２は、磁気的又は光学的記録媒体若しくは不揮発性の半導体メモリ等により構成され、ＣＰＵ３０１で実行されるシステムプログラム、当該システムプログラムに対応する、タクシーチケットデータ処理プログラムを始めとする各種処理プログラム、各種データ等を記憶する。これらの各種プログラムは、読取可能なプログラムコードの形態で格納され、ＣＰＵ３０１は、当該プログラムコードに従った動作を逐次実行する。
【００３５】
ＲＡＭ３０３は、ＣＰＵ３０１により実行されるシステムプログラム、各種処理プログラム、各処理において処理中のデータ、処理結果などを一時的に記憶するワークエリアを形成する。
【００３６】
メモリカード制御部３０４は、メモリカード挿入口３４に装填されたメモリカードＭからのデータの読み出し及びメモリカードＭへのデータの書き込みを制御する。
【００３７】
プリンタ制御部３０５は、プリンタ４と接続し、プリンタ４との間で制御信号や印刷データをはじめとする各種データの入出力を行う。
【００３８】
通信制御部３０６は、ＬＡＮアダプタやルータやＴＡ（Terminal Adapter）等を備え、通信ネットワークＮに接続された各装置との間の通信を制御する。
【００３９】
ＨＤＤ制御部３０７は、ＨＤＤ（Hard Disc Drive）３０８からのデータの読み出し及びＨＤＤ３０８へのデータの書き込みを制御する。ＨＤＤ３０８は、図６に示すように、ホストコンピュータ５から送信されるポジデータを格納するポジデータ格納部３８１及びホストコンピュータ５から送信されるネガデータを格納するネガデータ格納部３８２、タクシーチケットデータ処理で作成した売上処理結果を格納する売上レポート格納部３８３を有している。
【００４０】
操作制御部３０９は、キーボード３１０に対するキー操作や図示しないマウスの操作により入力された指示信号をＣＰＵ３０１に出力する。
【００４１】
表示制御部３１１は、ＣＰＵ３０１からの表示信号を受信して、表示装置３１２における表示制御を行う。表示装置３１２は、ＬＣＤやＣＲＴ（Liquid Crystal Display）等により構成され、表示制御部３１１の制御に基づいて、表示画面上に、各種情報を表示する。
【００４２】
ホストコンピュータ５は、入力端末６から入力されたポジデータ及びネガデータを、通信ネットワークＮを介して受信して、最新のポジデータ及びネガデータを保存、管理し、所定時間毎にデータ収集機３へ送信するコンピュータである。
【００４３】
なお、営業所が一箇所等の小規模なシステムにおいては、データ収集機３から直接ポジデータ及びネガデータを登録し、データ収集機３のＨＤＤ３０８に保存しておくようにしてもよい。また、ポジデータ及びネガデータは、ホストコンピュータ５に備えられたキーボート等の操作手段から入力するようにしてもよい。
【００４４】
次に、本実施の形態における動作について説明する。
図７に、チケット認証装置１のＣＰＵ１０１により実行されるタクシーチケット使用可否判別処理を示す。ＣＰＵ１０１は、記録部１０２に記憶されたタクシーチケット使用可否判別処理プログラムとの協働によるソフトウエア処理により、当該タクシーチケット使用可否判別処理を実行する。なお、メモリカードＭは予めメモリカード挿入口１４に挿入されていることとする。
【００４５】
まず、タクシーチケットＴのタクシーチケット挿入口１１への挿入が待機され、タクシーチケット検出部１１０によりタクシーチケットＴの挿入が検出されると（ステップＳ１）、バーコードリーダ１０７によりタクシーチケットＴに表記されたバーコードＢが読み取られ、バーコードリーダ制御部１０６によりデコード処理されてバーコードＢが示すバーコードデータが取得されＲＡＭ１０３に一時記憶される（ステップＳ２）。
【００４６】
ここで、タクシーチケット検出部１１０は、タクシーチケットＴが偽造されたものである場合に、これを検出することが好ましい。例えば、タクシーチケットＴが複写したものである場合、タクシーチケット検出部１１０の発光部から照射される光がタクシーチケットＴに反射又は透過するときの波長が変化するようにしておき、タクシーチケットＴが偽造である場合は、タクシーチケット検出部１１０がタクシーチケットＴの検出を不可能とすることで、その偽造を検出するようにすることができる。
【００４７】
次いで、ＲＡＭ１０３に記憶されたバーコードデータとメモリカードＭのポジデータ格納領域Ｍ１に記録されているポジデータ（複数可）が比較され、バーコードデータの所定の桁に含まれるタクシーチケット識別情報と一致するポジデータがあるか否かが判別される（ステップＳ３）。一致するポジデータがない場合には（ステップＳ３；ＮＯ）、表示装置１１２に当該タクシーチケットＴが使用不可であることを告知する表示がなされ（ステップＳ６）、本処理は終了する。
【００４８】
ステップＳ３において、ＲＡＭ１０３に記憶されたバーコードデータの所定桁に含まれるタクシーチケット識別情報と一致するポジデータがある場合には（ステップＳ３；ＹＥＳ）、当該バーコードデータとメモリカードＭのネガデータ格納領域Ｍ２に記録されているネガデータ（複数可）が比較され、バーコードデータの所定の桁に含まれるタクシーチケット識別情報と一致するネガデータがあるか否かが判別される（ステップＳ４）。一致するポジデータがある場合には（ステップＳ４；ＹＥＳ）、表示装置１１２に当該タクシーチケットＴが使用不可であることを告知する表示がなされ（ステップＳ６）、本処理は終了する。
【００４９】
ここで、上述したように、タクシーチケット識別情報は、費用請求先を識別するための顧客番号及び発行順に付された発行番号を示すものであり、このタクシーチケット識別情報と、チケットの使用可否を判別するための基準情報としてのポジデータ及びネガデータとの比較照合を行ってタクシーチケットＴの使用可否を判別することにより、費用請求先が倒産等で支払いができないタクシーチケットが利用されたり、紛失されたタクシーチケットが利用されたりすることを防止することが可能となる。
【００５０】
ステップＳ４において、ＲＡＭ１０３に記憶されたバーコードデータの所定桁に含まれるタクシーチケット識別情報と一致するポジデータがない場合には（ステップＳ４；ＮＯ）、当該バーコードデータの所定桁に含まれる有効期限を表す情報と基準情報としての利用日付との比較によりタクシーチケットＴが有効期限内であるか否かが判別される（ステップＳ５）。当該タクシーチケットＴが有効期限内ではない場合には（ステップＳ５；ＮＯ）、表示装置１１２に当該タクシーチケットＴが使用不可であることを告知する表示がなされ（ステップＳ６）、本処理は終了する。
【００５１】
ステップＳ５において、ＲＡＭ１０３に記憶されたバーコードデータに基づいて当該タクシーチケットＴが有効期限内であると判別された場合（ステップＳ５；ＹＥＳ）、タクシーメータ連動制御部１０５によりタクシーメータ２から利用料金データが取得され、ＲＡＭ１０３に記憶される（ステップＳ７）。次いで、取得された利用料金データに基づいて印刷データが生成され（ステップＳ８）、プリンタ１０９によりタクシーチケットＴの所定の位置に利用料金が印刷、出力される（ステップＳ９）。
【００５２】
次いで、ＲＡＭ１０３に記憶されたバーコードデータ及び利用料金データが読み出され（ステップＳ１０）、バーコードデータ（タクシーチケットによる取引であったことを示す）及び利用料金データを含む売上データが生成され、乗車位置にメータが切り換えられた時刻、位置（図示しないがＧＰＳより位置を取得して記憶）と、空車位置にメータが切り換えられた時刻、位置のデータに対応付けられてメモリカードＭの売上データ格納領域Ｍ３に格納され（ステップＳ１１）、本処理は終了する。
【００５３】
なお、チケット認証装置１は、タクシーチケット使用可否判別処理のステップＳ１〜Ｓ１１を実行することが望ましいが、必要に応じてステップＳ１〜Ｓ６のみを実行するようにしてもよいし、ステップＳ１〜Ｓ９のみを実行するようにしてもよい。
【００５４】
次に、図８を参照して、データ収集機３のＣＰＵ３０１により実行されるタクシーチケットデータ処理について説明する。当該処理は、タクシーの１日の業務終了時にメモリカードＭに記録された売上データに基づいて実行される処理である。ＣＰＵ３０１は、キーボード３１０等によりタクシーチケットデータ処理の実行が指示された際に、記録部３０２に記憶されたタクシーチケットデータ処理プログラムとの協働によるソフトウエア処理により、当該処理を実行する。
【００５５】
メモリカード挿入口３４にメモリカードＭが挿入されると（ステップＳ２１）、
メモリカードＭの売上データ格納領域Ｍ３に記憶されている売上データが検索され、ＲＡＭ３０３に読み込まれる（ステップＳ２２）。次いで、読み込まれた売上データに基づいて費用請求先への請求書発行処理が行われる（ステップＳ２３）。また、売上データに基づいて売上処理が実行され、ＨＤＤの売上レポート格納部３８３に売上処理結果が記憶され（ステップＳ２４）、メモリカードＭの売上データ格納領域Ｍ２のデータがクリアされる（ステップＳ２５）。売上処理としては、例えば、タクシー別の日次売上額の集計や顧客別の売上額算出等を行うことができる。また、タクシー別の売上データは、ＨＤＤ３０８に蓄積しておき、タクシー会社全体での日次売上額の集計や顧客別の売上額算出等を行うことも可能である。
【００５６】
次いで、ＨＤＤ３０８から最新のポジデータ及びネガデータが読み出され、最新のポジデータ及びネガデータでメモリカードＭのポジデータ格納領域Ｍ１のポジデータ及びネガデータ格納領域Ｍ２のネガデータが更新され（ステップＳ２６）、本処理は終了する。
【００５７】
以上説明したように、チケット認証処理システム１００によれば、チケット認証装置１においてタクシーチケットＴに表記されたバーコードＢがバーコードリーダ１０７により読み取られ、バーコードデータが取得されると、バーコードデータに含まれるタクシーチケットＴの識別情報及び有効期限とメモリカードＭに記録されているポジデータ及びネガデータに基づいて当該タクシーチケットＴの使用可否が判別され、使用不可である場合は、使用不可であることを告知する表示が表示される。
【００５８】
従って、タクシーチケットＴの識別情報や有効期限を示すバーコードＢをタクシーチケットＴ上に印刷する等により表記しておくだけで確実にチケットの使用可否の確認を行うことが可能となるので、多数発行されるチケットの単価を上げることなく確実にチケットの使用可否の確認を行ってタクシーチケットＴの不正利用を防止することが可能となる。
【００５９】
また、チケット認証装置１は、タクシーメータ２からタクシーの利用料金データを取得してタクシーチケットＴに印刷するので、利用料金の記入の誤りを防止することが可能となる。
【００６０】
また、チケット認証装置１は、バーコードリーダ１０７により読み取って取得されたバーコードデータ及びタクシーメータ２から取得された利用料金データを売上データとしてメモリカードＭに記憶し、メモリカードＭに記録された売上データをデータ収集機３で読み出して費用請求先への請求書発行及び売上処理を行うので、費用請求先への請求書発行及び売上処理を効率化することが可能となる。
【００６１】
なお、上記実施の形態における記述内容は、本実施の形態における好適な一例であり、これに限定されるものではない。
【００６２】
例えば、上記実施の形態においては、タクシーチケットＴに表記されたタクシーチケットＴの特定情報を表すバーコードをバーコードリーダで読み取ってタクシーチケットＴの使用可否を判別することとしたが、タクシーチケットＴ上に文字で表記されたタクシーチケットＴの特定情報（例えば、顧客番号（顧客名）、発行番号、有効期限等）をＯＣＲ（Optical Character Reader）で光学的に読み取るようにしてもよい。また、タクシーチケットＴの特定情報をキー入力するようにしてもよい。
【００６３】
また、バーコードは、一次元バーコードであってもよいし、二次元バーコードであってもよい。
【００６４】
また、チケット認証装置１のバーコードリーダ１０７により読み取られたタクシーチケット識別情報を無線通信によりホストコンピュータ５に送信し、ホストコンピュータ５において使用可否の判別を行い、チケット認証装置１に送信することで、リアルタイムで最新のポジデータ及びネガデータとの照合を行うようにしてもよい。
【００６５】
また、上記実施の形態においては、チケット認証装置１とデータ収集機３とのデータのやりとりはメモリカードＭ経由で行うこととしたが、無線通信により行うようにしてもよい。また、チケット認証装置１とホストコンピュータ５が無線通信により直接ポジデータ、ネガデータ、売上データ等の送受信を行い、ホストコンピュータ５で請求書発行や売上処理を行うようにしてもよい。
【００６６】
また、上記実施の形態においては、タクシーチケットを例にとり説明したが、アミューズメント施設の入場チケット等の各種チケットについて適用可能である。
【００６７】
その他、チケット認証処理システム１００及びチケット認証処理システム１００を構成する各装置の細部構成及び細部動作に関しても、本発明の趣旨を逸脱することのない範囲で適宜変更可能である。
【図面の簡単な説明】
【００６８】
【図１】本発明に係るチケット認証処理システム１００の全体構成を示す概念図である。
【図２】タクシーチケットＴの一例を示す図である。
【図３】図１のチケット認証装置１の機能的構成を示すブロック図である。
【図４】メモリカードＭのデータ格納例を示す図である。
【図５】図１のデータ収集機３の機能的構成を示すブロック図である。
【図６】図５のＨＤＤ３０８のデータ格納例を示す図である。
【図７】図３のＣＰＵ１０１により実行されるタクシーチケット使用可否判別処理を示すフローチャートである。
【図８】図５のＣＰＵ３０１により実行されるタクシーチケットデータ処理を示すフローチャートである。
【符号の説明】
【００６９】
１００  チケット認証処理システム
１  チケット認証装置
２  タクシーメータ
３  データ収集機
４  プリンタ
５  ホストコンピュータ
６  入力端末
１０１、３０１  ＣＰＵ
１０２、３０２  記録部
１０３、３０３  ＲＡＭ
１０４、３０４  メモリカード制御部
１０５  タクシーメータ連動制御部
１０６  バーコードリーダ制御部
１０７  バーコードリーダ
１０８、３０５  プリンタ制御部
１０９  プリンタ
１１０  タクシーチケット検出部
１１１、３１１  表示制御部
１１２、３１２  表示装置
１１３、３１３  バス
３０６  通信制御部
３０７  ＨＤＤ制御部
３０８  ＨＤＤ
３０９  操作制御部
３１０  キーボード
Ｔ  タクシーチケット
Ｍ  メモリカード
【図１】
2005309480.tif 000003
【図２】
2005309480.tif 000004
【図３】
2005309480.tif 000005
【図４】
2005309480.tif 000006
【図５】
2005309480.tif 000007
【図６】
2005309480.tif 000008
【図７】
2005309480.tif 000009
【図８】
2005309480.tif 000010